【手続補正書】
【提出日】平成22年9月15日(2010.9.15)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報の可変表示を行い表示結果を導出表示する可変表示部を備え、該可変表示部に特定表示結果が導出表示されたときに遊技者にとって有利な特定遊技状態に移行させるとともに、移行条件が成立したときに該特定遊技状態が終了したのちに通常状態であるときに比べて識別情報の可変表示の表示結果が前記特定表示結果となりやすい特別遊技状態に移行させ、前記移行条件が成立したことを報知可能な移行条件成立報知演出を実行する遊技機であって、
前記可変表示部に導出表示される表示結果を前記特定表示結果とするか否かと、前記特定表示結果とすると決定されたときに前記移行条件を成立させるか否かとを表示結果の導出表示以前に決定する事前決定手段と、
前記事前決定手段によって前記特定表示結果とすると決定されたことにもとづいて、前記移行条件成立報知演出を実行可能な報知演出実行手段と、
遊技者が操作可能な操作手段と、
前記移行条件成立報知演出の実行中に前記移行条件が成立したことを報知するための前記操作手段を用いた操作に関する条件である操作条件を決定する操作条件決定手段とを備え、
前記報知演出実行手段は、
前記事前決定手段によって前記移行条件を成立させると決定され、前記移行条件成立報知演出の実行中に前記操作手段による操作にもとづいて前記操作条件決定手段によって決定された前記操作条件が成立したときには、前記移行条件が成立したことを示す第１画像を表示する第１画像表示制御手段と、
前記第１画像表示制御手段が表示する前記第１画像を複数画像の中から選択するために第１画像選択データを設定する第１画像選択データ設定手段と、
該第１画像選択データ設定手段により設定された第１画像選択データを用いて前記第１画像を選択する第１画像選択手段と、
前記事前決定手段によって前記移行条件を成立させないと決定され、前記移行条件成立報知演出の実行中に前記操作手段が操作されたときには、前記第１画像とは異なる第２画像を表示する第２画像表示制御手段と、
前記第２画像表示制御手段が表示する前記第２画像を複数画像の中から選択するために第２画像選択データを設定する第２画像選択データ設定手段と、
該第２画像選択データ設定手段により設定された第２画像選択データを用いて前記第２画像を選択する第２画像選択手段と、
前記事前決定手段によって前記移行条件を成立させると決定され、前記移行条件成立報知演出の実行中に前記操作手段が操作されたが前記操作条件決定手段によって決定された前記操作条件が成立していないときには、前記第２画像を表示する操作条件不成立時画像表示制御手段と、
前記操作条件不成立時画像表示制御手段が表示する前記第２画像を複数画像の中から選択するために、前記第２画像選択手段により用いられる第２画像選択データと共通する選択データを設定する操作条件不成立時選択データ設定手段と、
該操作条件不成立時選択データ設定手段により設定された前記共通する選択データを用いて前記第２画像を選択する操作条件不成立時画像選択手段とを含む
ことを特徴とする遊技機。
【手続補正２】
【補正対象書類名】明細書
【補正対象項目名】００２２
【補正方法】変更
【補正の内容】
【００２２】
操作条件決定手段が、操作条件として操作手段の操作回数を決定し、第１画像表示制御手段が、事前決定手段によって移行条件を成立させると決定され、移行条件成立報知演出の実行中に操作手段が操作された回数が操作条件決定手段によって決定された操作回数に達したときには、第１画像を表示するように構成されていることにより、遊技者の操作回数により移行条件が成立した状態に昇格させるような演出を実行することができる。
【手続補正３】
【補正対象書類名】明細書
【補正対象項目名】００２３
【補正方法】変更
【補正の内容】
【００２３】
切替演出実行手段による表示切替演出を実行中である場合に、操作手段による操作を無効とする操作無効手段をさらに備えるように構成されていることにより、表示切替演出中には操作手段による操作を受け付けないようにし、表示切替演出の実行中以外の期間に、操作手段による操作が行われたタイミングで表示切替演出が開始されるようにすることができる。そのため、遊技者に対して操作手段による操作によって表示切替演出が開始されたことを実感させることができる。
【手続補正４】
【補正対象書類名】明細書
【補正対象項目名】００２４
【補正方法】変更
【補正の内容】
【００２４】
操作手段の操作状況にもとづいて、報知条件を、操作に関する難易度が異なる条件に変更する難易度変更手段を備えるように構成されていることにより、遊技者の特性に応じて移行条件成立報知演出を実行することができ、特別遊技状態が発生することに対する遊技者の興趣を向上させることができる。
【手続補正５】
【補正対象書類名】明細書
【補正対象項目名】００２５
【補正方法】変更
【補正の内容】
【００２５】
移行条件を成立させると決定されたときに、報知演出実行手段による移行条件成立報知演出において、報知条件が成立しなかったことにもとづいて第１画像が表示されなかったときには、特定遊技状態を終了した後に特別演出以外の演出を実行するように構成されていることにより、遊技者による操作手段を用いた操作にかかわらず、特定遊技状態を終了した後に内部的に移行条件を成立させると決定されていることが把握されてしまう事態を防止することができ、遊技者の操作手段を用いた操作意欲や遊技に対する興趣が低下してしまうことを防止することができる。
【手続補正６】
【補正対象書類名】明細書
【補正対象項目名】００２６
【補正方法】変更
【補正の内容】
【００２６】
可変表示実行手段が、第１可変表示部に表示結果を導出表示したときに、第１計数手段によって計数された成立数が１以上であるとともに第２計数手段によって計数された成立数が１以上である場合に、第１計数手段によって計数された成立数が第２計数手段によって計数された成立数よりも多いときには、第１可変表示部における識別情報の可変表示を第２可変表示部における識別情報の可変表示に優先して実行するように構成されていることにより、無効な可変表示の実行条件の成立数を低減することができる。
【手続補正７】
【補正対象書類名】明細書
【補正対象項目名】００２７
【補正方法】変更
【補正の内容】
【００２７】
可変表示時間決定手段が、第１計数手段によって計数された成立数と第２計数手段によって計数された成立数との合計に対応する合計数が所定数以上のときには、合計数が所定数未満であるときに比べて可変表示時間を短縮することにより、合計数が所定値以上であるときに、第１可変表示部と第２可変表示部とのうちのいずれか一方の可変表示部で短縮変動が行われ、他方の可変表示部では短縮変動が行われない事態が発生することを防止できる。そのため、遊技者に違和感を与える事態を防止することが出来るとともに、可変表示の実行条件の成立が無効になってしまう事態を低減することができる。従って、可変表示の稼働率を向上させることができる。
【手続補正８】
【補正対象書類名】明細書
【補正対象項目名】００２８
【補正方法】変更
【補正の内容】
【００２８】
遊技制御手段が、事前決定手段によって特定表示結果にしないと決定された場合に、画像表示装置における演出用識別情報の可変表示においてリーチ演出を実行するか否かを決定するリーチ演出決定手段を含み、リーチ演出決定手段は、第１計数手段によって計数された成立数と第２計数手段によって計数された成立数との合計数が多いときには、第１計数手段によって計数された成立数と第２計数手段によって計数された成立数との合計数が少ないときと比較して、少ない割合でリーチ演出を実行すると決定することにより、第１計数手段によって計数された成立数と第２計数手段によって計数された成立数との合計数が多いときには、識別情報の変動表示中にリーチ演出を実行する頻度を低減することができる。したがって、第１可変表示部と第２可変表示部とを備えた遊技機において、可変表示の稼働率を向上させることができる。また、可変表示の稼働率を向上させることによって、可変表示の実行条件の成立が無効になってしまう事態を低減することができる。
【手続補正９】
【補正対象書類名】明細書
【補正対象項目名】００２９
【補正方法】変更
【補正の内容】
【００２９】
リーチ決定手段による決定結果にもとづいて、変動パターン種別決定用乱数を用いて識別情報の変動パターン種別を複数種類のいずれかに決定する変動パターン種別決定手段と、変動パターン種別決定手段により決定された変動パターン種別に含まれる変動パターンの中から、変動パターン決定用乱数を用いて識別情報の変動パターンを決定する変動パターン決定手段とを備えるように構成されていることにより、リーチ状態とする旨の決定がなされたか否かにかかわらず、共通の変動パターン種別決定用乱数を用いて変動パターンの種別を決定することができ、変動パターンを決定するためのデータ容量（変動パターンを決定するための作業領域のデータ容量）を低減することができる。
【手続補正１０】
【補正対象書類名】明細書
【補正対象項目名】００３０
【補正方法】変更
【補正の内容】
【００３０】
変動パターン種別決定手段が、リーチ決定手段によってリーチ状態とする旨の決定がなされたことに対応して、変動パターン種別決定用乱数を用いてリーチ状態に応じた複数種類の変動パターン種別のいずれかに決定し、リーチ決定手段によってリーチ状態としない旨の決定がなされたことに対応して、変動パターン種別決定用乱数を用いて識別情報の可変表示中に可変表示装置において特定の演出を実行する変動パターン種別を含む複数種類の変動パターン種別のいずれかに決定するように構成されていることにより、特定表示結果としない決定がなされたときであってリーチ状態としない旨の決定がなされたときであっても、変動表示中に特定の演出を実行することができる。そのため、特定表示結果とならないとともにリーチ態様とならないときであっても、変動表示中に多様な演出を実行することができ、遊技に対する興趣を向上させることができる。また、リーチ状態とする旨が決定されたか否かにかかわらず、共通の変動パターン種別決定用乱数を用いて変動パターン種別を決定するので、変動パターンを決定するためのデータ容量を低減することができる。